(57)【要約】【課題】電気機器と電線用モール４の配置上の美観の向上を図る際の電気機器の設計の容易化を図ることができると共に、取付面への電気機器の取付作業の手間を低減することができる電気機器用取付具を提供する。【解決手段】取付面に取り付けられる第１の取付部４１を電気機器用取付具１の表裏方向に沿う中心線１ａに直交する第１の直線ａ上に配置し、電線用モール４の端部を受け入れるモール受入部２０Ａ，２０Ｃを第１の直線ａ上に配置し、電気機器が取り付けられる一対の第２の取付部１３を、中心線１ａに直交すると共に第１の直線ａに対して中心線１ａ周りに９０度ずれた第２の直線ｂ上に配置し、且つ、これらの第１の取付部４１、第２の取付部１３及びモール受入部２０Ａ，２０Ｃを一体成形する。【選択図】図４
2007228759.tif 000002
【特許請求の範囲】
【請求項１】
電線が接続される電気機器を取付面に取り付ける電気機器用取付具であって、
当該電気機器用取付具の表裏方向に沿う中心線に直交する第１の直線上に配置され、前記取付面に取り付けられる第１の取付部と、
前記取付面に配設され前記電線が配索される電線用モールの長さ方向が前記第１の直線に対して平行となるように前記電線用モールの端部を受け入れる、前記第１の直線上に配置されたモール受入部と、
前記中心線に直交すると共に前記第１の直線に対して前記中心線周りに９０度ずれた第２の直線上に配置されて前記電気機器が取り付けられ、前記電気機器を当該電気機器用取付具の正面側に位置付ける一対の第２の取付部と、
を備え、
前記第１の取付部、前記第２の取付部及び前記モール受入部が一体成形されている、ことを特徴とする電気機器用取付具。
【請求項２】
長孔及びこの長孔の一端部に連設された孔を有しネジの挿通方向が前記中心線に沿った方向である、前記中心線に対して線対称に形成された一対の孔部を備え、
前記長孔は、前記ネジの首部の径よりも大きく且つ前記ネジの頭部よりも小さく短手方向の幅が形成されると共に前記中心線周りに円弧状に形成され、
前記孔は、前記ネジの頭部の径よりも大きい径に形成され、
前記第１の取付部は、前記長孔の他端部を含む、ことを特徴とする請求項１に記載の電気機器用取付具。
【発明の詳細な説明】
【技術分野】
【０００１】
本発明は、電気機器用取付具に関する。
【背景技術】
【０００２】
従来、例えば完成後の建物の天井面に、後付けで火災報知器などの電気機器を電気機器用取付具によって取り付ける場合、天井裏から電気機器への電線の配索が困難であるときには、天井面に電線用モールを用いて電線を配索し、その電線を電気機器に接続するようにしている。
【０００３】
このような取り付けに用いられる電気機器用取付具として、プレート部材とこのプレート部材に取り付けられる本体部材の２部材を有するジャンクションボックスが知られている。
【０００４】
このジャンクションボックスでは、天井面に取り付けられる第１の取付部がプレート部材に形成されている一方、電気機器が固定される第２の取付部と電線用モールを受け入れるモール受入部とが本体部材に形成されている。
【０００５】
そして、第１の取付部は、当該ジャンクションボックスの表裏方向に沿う中心線（以後、ボックス中心線という）に直交する第１の直線上に一対配置されている。また、モール受入部は、電線用モールの長さ方向が第１の直線に対して平行となるように第１の直線上に配置されている。したがって、第１の直線上に、第１の取付部と電線用モールとが位置することとなる。
【０００６】
かかる構造によれば、天井裏に直線状の桟材が配置されている天井面において、電線用モールと電気機器の第１の取付部とをネジなどによって桟材に固定することができ、それらの天井面への取り付けを強固なものとすることができる。
【０００７】
また、別例の電気機器用取付具として、特許文献１には、天井面に取り付けられる第１の取付部と、電気機器が固定される第２の取付部と、電線用モールを受け入れるモール受入部と、が一体化された受け台が開示されている。
【特許文献１】特開平５−２７４９０８号公報
【発明の開示】
【発明が解決しようとする課題】
【０００８】
ところで、電気機器用取付具に取り付けられる電気機器には、例えば作動状況を報知するためのＬＥＤなどが設けられているものがある。この場合、そのＬＥＤを電線用モールの長さ方向に直交する直線上や、電線用モールの長さ方向に直交する直線上に位置付けることにより、電気機器と電線用モールとの配置上の美観の向上が図れるとされている。
【０００９】
これに対して、前述のジャンクションボックスでは、第２の取付部が、ジャンクションボックスのボックス中心線に直交すると共に第１の直線に対して中心線周りに９０度ずれた第２の直線上に一対配置されている。
【００１０】
よって、このジャンクションボックスに取り付けられる電気機器においては、ジャンクションボックスの第２の取付部に取り付けられる一対の機器側取付部を設ければ良いことととなる。この一対の機器側取付部を結ぶ直線は、電気機器がジャンクションボックスによって天井に取り付けられたときに、第１の直線に対して９０度ずれた位置となる。したがって、例えばＬＥＤを電線用モールの長さ方向に直交する直線上に位置付けたいときには、一対の機器側取付部を結ぶ直線上にＬＥＤを配置する設計を行なえばよいことになり、電気機器の設計を容易に行なうことができる。
【００１１】
しかしながら、このジャンクションボックスは、前述のようにプレート部材と、本体部材とが別部材であるので、それらを組み立てなければならず、電気機器を天井面に取り付ける取付作業に手間がかかるという問題がある。
【００１２】
一方、特許文献１に記載された受け台は、単一部材から構成されているので、組立の必要はないが、電気機器が取り付けられる一対の第２の取付部（特許文献１では照明器具取付孔）を結ぶ直線が、電線用モールの長さ方向に対して斜めとなっている。このため、電気機器と電線用モールとの配設上の美観の向上を図るには、電気機器側の設計に手間がかかるという問題がある。
【００１３】
そこで、本発明は、電気機器と電線用モールとの配置上の美観の向上を図る際の電気機器の設計の容易化を図ることができると共に、取付面への電気機器の取付作業の手間を低減することができる電気機器用取付具を提供することを目的とする。
【課題を解決するための手段】
【００１４】
請求項１に記載の発明は、電線が接続される電気機器を取付面に取り付ける電気機器用取付具であって、当該電気機器用取付具の表裏方向に沿う中心線に直交する第１の直線上に配置され、前記取付面に取り付けられる第１の取付部と、前記取付面に配設され前記電線が配索される電線用モールの長さ方向が前記第１の直線に対して平行となるように前記電線用モールの端部を受け入れる、前記第１の直線上に配置されたモール受入部と、前記中心線に直交すると共に前記第１の直線に対して前記中心線周りに９０度ずれた第２の直線上に配置されて前記電気機器が取り付けられ、前記電気機器を当該電気機器用取付具の正面側に位置付ける一対の第２の取付部と、を備え、前記第１の取付部、前記第２の取付部及び前記モール受入部が一体成形されている、ことを特徴とする。
【００１５】
請求項２に記載の発明は、請求項１に記載の電気機器用取付具において、長孔及びこの長孔の一端部に連設された孔を有しネジの挿通方向が前記中心線に沿った方向である、前記中心線に対して線対称に形成された一対の孔部を備え、前記長孔は、前記ネジの首部の径よりも大きく且つ前記ネジの頭部よりも小さく短手方向の幅が形成されると共に前記中心線周りに円弧状に形成され、前記孔は、前記ネジの頭部の径よりも大きい径に形成され、前記第１の取付部は、前記長孔の他端部を含む、ことを特徴とする。
【発明の効果】
【００１６】
本発明によれば、電気機器と電線用モールとの配置上の美観の向上を図る際の電気機器の設計の容易化を図ることができると共に、取付面への電気機器の取付作業の手間を低減することができる。
【発明を実施するための最良の形態】
【００１７】
本発明の一実施形態を図面に基づいて説明する。図１は、本実施形態の電気機器用取付具を示す斜視図、図２は、電気機器用取付具を正面側から見て示す斜視図、図３は、電気機器用取付具を背面側から見て示す斜視図、図４は、電気機器用取付具を示す正面図、図５は、電気機器用取付具を示す背面図、図６は、電気機器用取付具に電線用モールが取り付けられた状態を示す背面図、図７は、図５の電気機器用取付具のノックアウト部の拡大図、図８は、図５のＡ−Ａ線に沿った断面図である。
【００１８】
図１に示す電気機器用取付具１は、建物の天井面や縦壁面などの取付面２に火災報知器や照明装置などの電気機器（図示せず）を取り付けるものである。この電気機器用取付具１は、樹脂製の単一部材である。
【００１９】
電気機器用取付具１は、その裏面側を取付面２に当接させた状態で取付手段であるネジ３によって取付面２に取り付けられると共に、その正面側に電気機器が取り付けられる。この電気機器用取付具１には、電線用モール４が接続され、その電線用モール４内に配索される電線５が電気機器に接続可能となっている。電線５は、例えば、電源線や通信線である。
【００２０】
ここで、電線用モール４について説明する。電線用モール４は、例えば平板状のベース部材４ａとこのベース部材４ａに取り付けられた断面コ字状のカバー部材４ｂとから構成されており、その端面には、電線５が挿通される開口４ｃが形成されている。この電線用モール４は、その長さ方向に直線状に長細く形成されている。電線用モール４は、例えば図示しないネジによってベース部材４ａが取付面２に取り付けられた後、カバー部材４ｂがベース部材４ａに取り付けられて組み立てられる。電気機器用取付具１は、詳しくは後述するが、断面の大きさが異なる複数種類の電線用モール４に接続対応可能となっている。図面では、断面が最大の電線用モール４が示されている。なお、電気機器用取付具１としては、断面の形状が異なる電線用モール４に接続対応可能なものであっても良い。
【００２１】
次に、電気機器用取付具１を詳細に説明する。図２ないし図６に示すように、電気機器用取付具１は、円盤状の基部１１と、この基部１１の裏面の周縁部に立設された円環状の外周壁１２とを有している。そして、基部１１や、外周壁１２、基部１１と外周壁１２との内部に、取付面２に取り付けられる第１の取付部４１（図４）、電線用モール４を受け入れる４つのモール受入部２０（２０Ａ，２０Ｂ，２０Ｃ，２０Ｄ）、電子機器が取り付けられる第２の取付部１３（図２）等が形成されている。
【００２２】
基部１１の裏面には、当該電気機器用取付具１の表裏方向に沿う中心線１ａ（図２）に対して線対称に一対の取付片１５が立設されている。これらの取付片１５は、正面から見て裏側へ凹んだ形状に形成されて、正面開口に形成されている。
【００２３】
取付片１５の背壁１６には、孔部１７が形成されている。これらの孔部１７は、中心線１ａ周りに円弧状に形成された長孔１７ａと、この長孔１７ａの一端部１７ｂに連通して形成された丸孔状の孔１７ｃとを有している。この長孔１７ａの他端部１７ｄは、中心線１ａに直交する第１の直線ａ上に位置付けられている。
【００２４】
長孔１７ａは、ネジ３の首部３ａの径よりも大きく且つネジ３の頭部３ｂよりも小さく短手方向の幅が形成されている一方、孔１７ｃは、ネジ３の頭部３ｂの径よりも大きい径に形成されている。したがって、長孔１７ａは、ネジ３の首部３ａの通過は許容するがネジ３の頭部３ｂの通過は許容せず、孔１７ｃは、ネジ３の頭部３ｂの通過を許容している。
【００２５】
そして、背壁１６には、第１の直線ａ上に配置された第１の取付部４１が形成されている。これらの第１の取付部４１は、長孔１７ａの他端部１７ｄを含んで構成されている。
【００２６】
また、基部１１の中心部には、一対の取付片１５内に連通する第１の電線挿通口１９が形成されており、この第１の電線挿通口１９によって、電気機器の電線接続口（図示せず）を電気機器用取付具１内に露出させることが可能となっている。
【００２７】
電気機器用取付具１の外周壁１２には、電線用モール４を受け入れる４つのモール受入部２０（２０Ａ，２０Ｂ，２０Ｃ，２０Ｄ）が周方向に沿って等間隔に設けられている。これらのモール受入部２０は、電線用モール４の端面が電気機器用取付具１の中心に向くように電線用モール４を受け入れる。
【００２８】
モール受入部２０のうち一対のモール受入部２０Ａ，２０Ｃは、取付片１５と外周壁１２とに亘って形成されていると共に、第１の直線ａ上に配置されている。これらのモール受入部２０Ａ，２０Ｃは、電線用モール４の長さ方向が第１の直線ａに対して平行となるように電線用モール４の端部を受け入れる。詳しくは、モール受入部２０Ａ，２０Ｃに挿入される電線用モール４の端部における長さ方向が第１の直線ａに対して平行となるように受け入れる。したがって、例えば電線用モール４おいてモール受入部２０Ａ，２０Ｃに挿入されない方の端部側が屈曲していても良い。
【００２９】
また、他方の一対のモール受入部２０Ｂ，２０Ｄは、中心線１ａに直交すると共に第１の直線ａに対して中心線１ａ周りに９０度ずれた第２の直線ｂ上に配置されている。これらのモール受入部２０Ｂ，２０Ｄは、電線用モール４の長さ方向が第２の直線ｂに対して平行となるように電線用モール４の端部を受け入れる。
【００３０】
これらの４つのモール受入部２０は、詳しくは、一対の側壁２１と壁状の規制部２２とを有している。一対の側壁２１は、外周壁１２から電気機器用取付具１の内方に向かうように設けられており、互いに平行である。規制部２２は、一対の側壁２１における電気機器用取付具１内方側の端部間に設けられ外周壁１２の内方に位置し、側壁２１に直角に接続されている。これらの側壁２１と規制部２２とは、基部１１に接続されている。
【００３１】
モール受入部２０の背面（基部１１側とは反対側の面）は、開口されていると共に、モール受入部２０における外周壁１２側の面は、外周壁１２に設けられた除去可能なノックアウト部２３によって閉塞されている。このノックアウト部２３を除去することにより、外周壁１２にモール用開口２４（図１）が形成され、モール受入部２０への電線用モール４の挿入が可能となる。このモール用開口２４は、モール受入部２０の一部を構成している。
【００３２】
側壁２１は、電線用モール４の側面４ｄに対向するものであり、側壁２１間の幅は、断面の大きさが最大の電線用モール４の幅と略同じに設定されている。
【００３３】
規制部２２は、モール受入部２０が受け入れる電線用モール４の端面に当接可能であり、その端面との当接によって電線用モール４の電気機器用取付具１内方への相対移動を規制するものである。
【００３４】
また、規制部２２には、電線用モール４の開口４ｃに連通する第２の電線挿通口２６が形成されており、この第２の電線挿通口２６によって電線５を電気機器用取付具１の内方に配索可能となっている。
【００３５】
一対のモール受入部２０Ａ，２０Ｃの規制部２２は、取付片１５の外周側縦壁２７と一体化されており、取付片１５の内周側縦壁２８に形成された第３の電線挿通口２９を経由して電気機器用取付具１の内方に連通している。また、他方の一対のモール受入部２０Ｂ，２０Ｄの規制部２２は、第２の電線挿通口２６によって２つの壁部２２ａに分割されている。
【００３６】
ノックアウト部２３は、図７及び図８に示すように、外周壁１２の他の部分よりも薄肉に形成されている。このノックアウト部２３は、断面の大きさの異なる複数種類の電線用モール４に対応させた大きさのモール用開口２４（図１）を選択的に形成可能となっている。具体的には、ノックアウト部２３の内面には、複数種類の電線用モール４に合わせた複数の切欠部３０が同心形で設けられている。これらの切欠部３０のうちの一つを選択してその切欠部３０に沿ってノックアウト部２３を切除することで、異なる大きさのモール用開口２４を選択的に得ることができる。モール用開口２４は、対応する電線用モール４の外面とモール用開口２４の内面とに隙が生じない大きさに形成されている。なお、図面では、最大径のモール用開口２４が示されている。
【００３７】
また、基部１１には、中心線１ａに対して線対称に一対の第２の取付部１３が形成されており、これらの第２の取付部１３は、第２の直線ｂ上に配置されている。第２の取付部１３には、図示しない電気器具が取り付けられ、第２の取付部１３は、その電気機器を当該電気機器用取付具１の正面側に位置付ける。第２の取付部１３には、第２の直線ｂ上に位置付けられた孔１４が形成されている。そして、この孔１４の周面に螺合する図示しないネジによって、電気器具が第２の取付部１３に締結される。なお、孔１４の周面には、予め雌ネジが形成されていても良いし、孔１４に挿入されるネジによって孔１４の周面に雌ねじが切られるようにしても良い。
【００３８】
そして、この電気機器用取付具１は、樹脂製の単一部材であることにより、第１の取付部４１、第２の取付部１３及びモール受入部２０は、一体成形されている。
【００３９】
次に、電気機器用取付具１によって電気機器を取付面２に取り付ける方法の一例を説明する。
【００４０】
まず、取付面２に配設される電線用モール４に対応する切欠部３０に沿ってノックアウト部２３を除去し、モール用開口２４を形成する。そして、電気機器用取付具１を取付面２に沿わせる際に、電気機器用取付具１の背面側や側方から電線用モール４をモール受入部２０に挿入する。このとき、電線用モール４の端面を規制部２２に当接させてもさせなくても良いが、電線用モール４の端面を規制部２２に当接させることにより、電線用モール４と電気機器用取付具１との相対移動を規制することができる。以上により、モール受入部２０によって、電気機器用取付具１と電線用モール４とが接続される。
【００４１】
そして、正面側から第１の取付部４１（長孔１７ａの他端部１７ｄ）に挿通させたネジ３を取付面２に螺合させ、第１の取付部４１を取付面２に取り付ける。これにより、電気機器用取付具１が取付面２に取り付けられる。
【００４２】
ここで、別の方法として、取付面２に対して頭部３ｂを離間させた状態で取付面２にネジ３を取り付ける。そして、ネジ３の頭部３ｂを孔１７ｃに貫通させた後、電気機器用取付具１を中心線１ａ周りに回動させて、ネジ３の首部３ａを長孔１７ａの他端部１７ｄ（第１の取付部４１）に相対移動させ、ネジ３に第１の取付部４１を係止させることで、ネジ３によって第１の取付部４１を取付面２に取り付けても良い。
【００４３】
次に、電線用モール４の開口４ｃから突出した電線５を電気機器に接続し、その電線５を電気機器用取付具１内に位置させた状態で、電気機器に貫通させたネジを第２の取付部の孔１４に螺合させて、電気機器を第２の取付部１３に取り付ける。これにより、電気機器が取付面２に取り付けられる。
【００４４】
また、別の方法として、電気機器用取付具１を取付面２に取り付けてから電線用モール４を取付面２に取り付けても良い。
【００４５】
以上説明したように本実施形態の電気機器用取付具１は、当該電気機器用取付具１の表裏方向に沿う中心線１ａに直交する第１の直線ａ上に配置され取付面２に取り付けられる第１の取付部４１と、電線用モール４の長さ方向が第１の直線ａに対して平行となるように電線用モール４の端部を受け入れる、第１の直線ａ上に配置されたモール受入部２０Ａ，２０Ｃと、を備える。
【００４６】
したがって、例えば取付面２としての天井の裏面（天井裏）に直線状の桟材が配置されている場合には、電線用モール４と電気機器用取付具１の第１の取付部４１とをネジ（第１の取付部４１に対してはネジ３）によって桟材に固定することができ、それらの天井への取り付けを強固なものとすることができる。
【００４７】
また、本実施形態の電気機器用取付具１は、第２の直線ｂ上に配置され、電気機器が取り付けられ、電気機器を当該電気機器用取付具１の正面側に位置付ける一対の第２の取付部１３を備える。
【００４８】
したがって、電気機器用取付具１に取り付けられる電気機器においては、第２の取付部１３に取り付けられる一対の機器側取付部を設ければ良いことととなる。この一対の機器側取付部を結ぶ直線は、電気機器が電気機器用取付具１によって取付面２に取り付けられたときに、第１の直線ａに対して９０度ずれた位置となる。よって、電気機器と電線用モール４との配置上の美観の向上を図るために、例えば電気機器のＬＥＤを電線用モール４の長さ方向に直交する直線上に位置付けたいときには、一対の機器側取付部を結ぶ直線上にＬＥＤを配置する設計を行なえばよいことになり、電気機器の設計を容易に行なうことができる。
【００４９】
また、本実施形態の電気機器用取付具１は、第１の取付部４１、第２の取付部１３及びモール受入部２０が一体成形されている。
【００５０】
したがって、例えば第１の取付部４１、第２の取付部１３、モール受入部２０がそれぞれ別部材である場合に比べて、取付面２への電気機器の取付作業の手間を低減することができる。
【００５１】
このように本実施形態によれば、電気機器と電線用モール４との配置上の美観の向上を図る際の電気機器の設計の容易化を図ることができると共に、取付面２への電気機器の取付作業の手間を低減することができる。
【００５２】
また、本実施形態の電気機器用取付具１では、長孔１７ａ及びこの長孔の一端部１７ｂに連設された孔１７ｃを有した一対の孔部１７が、中心線１ａに対して線対称に形成されており、第１の取付部４１は、長孔１７ａの他端部１７ｄを含んでいる。
【００５３】
したがって、ネジ３を取付面２に取り付けた後に、第１の取付部４１をネジ３に係止させることで電気機器用取付具１を取付面２に取り付けることができるので、電気機器用取付具１の取付面２への取り付けを容易に行なうことができる。
【００５４】
なお、本発明は、本実施形態に限ることなく本発明の要旨を逸脱しない範囲で他の実施形態を各種採用することができる。
【図面の簡単な説明】
【００５５】
【図１】本発明の一実施形態の電気機器用取付具を示す斜視図である。
【図２】本発明の一実施形態の電気機器用取付具を正面側から見て示す斜視図である。
【図３】本発明の一実施形態の電気機器用取付具を背面側から見て示す斜視図である。
【図４】本発明の一実施形態の電気機器用取付具を示す正面図である。
【図５】本発明の一実施形態の電気機器用取付具を示す背面図である。
【図６】本発明の一実施形態の電気機器用取付具に電線用モールが取り付けられた状態を示す背面図である。
【図７】図５の電気機器用取付具のノックアウト部の拡大図である。
【図８】図５のＡ−Ａ線に沿った断面図である。
【符号の説明】
【００５６】
１…電気機器用取付具
１ａ…中心線
２…取付面
３…ネジ
３ａ…首部
３ｂ…頭部
４…電線用モール
５…電線
１３…第２の取付部
１７…孔部
１７ａ…長孔
１７ｂ…一端部
１７ｃ…孔
１７ｄ…他端部
２０Ａ…モール受入部
２０Ｂ…モール受入部
４１…第１の取付部
ａ…第１の直線
ｂ…第２の直線
【図１】
2007228759.tif 000003
【図２】
2007228759.tif 000004
【図３】
2007228759.tif 000005
【図４】
2007228759.tif 000006
【図５】
2007228759.tif 000007
【図６】
2007228759.tif 000008
【図７】
2007228759.tif 000009
【図８】
2007228759.tif 000010